(57)【特許請求の範囲】
【請求項１】
ロール状ペーパーの中空部に挿入する水平支持軸と、該水平支持軸と略平行に配置したカッターとを有し、壁面等の取付面に取付けるホルダーであって、以下の構成としたことを特徴としたロール状ペーパーのホルダー。
（１）前記カッターは、その幅Ｄ２を、収容したロール状ペーパーの幅Ｄ０よりも長く形成すると共に、表面に滑り止めを施してある。
（２）前記カッターは、「前記水平支持軸を含む水平面より下方に位置する」かつ「収容したロール状ペーパーの垂直接面であって、前記取付面より遠い側の垂直接面より外側に位置する」とする。
（３）前記カッターと収容するロール状ペーパーとの間に、切断案内手段を配置した。
（４）前記カッターは、取付面に基端側を固定した棒状のカッター支持部の先端側に膨出部を介して、棒状に形成する。
（５）前記カッター支持部は、収容するロール状ペーパーの外周との間に間隙を形成した状態で、平面視で、前記ロール状ペーパーの上面側を貫く位置に配置し、前記カッター支持部の先端側を切断案内手段とする。
【発明の詳細な説明】
【技術分野】
【０００１】
トイレットペーパーなどのロール状ペーパーを保管し、使用時には所定量を供給できるロール状ペーパーのホルダーに関するもので、特に、片手だけで所望長さにカットすることができ、かつカットしたロール状ペーパーの端（切口）がつまみやすいように改良した。
【背景技術】
【０００２】
一般に普及しているトイレットペーパーのホルダーでは、収容したロール状ペーパーの上面を覆う蓋を起伏自在に取り付けていた。この場合、片手で所定長さのペーパーを引き出し、蓋をロール状ペーパーに押しつけ、蓋の先端縁をカッター刃として、引き出したペーパーをちぎっていた。
【０００３】
このようなホルダーでは、両手で切断作業をしなければならず、作業がし難い場合もあった。とりわけ、身体に障害を持った人の場合に特に顕著であった。また、カットしたトイレットペーパーの切口が、蓋と重なって見えなくなったり、切口がトイレットペーパーのロール状ペーパーに付着して、次回使用時に引き出し難かった。
【０００４】
そこで、カバーにカッター刃を有する構造のまま、このような不具合を解決すべく、以下のような提案がされている。まず、カバーの自重を重くし「ペーパーを引いて上に折り曲げて切り取る時に持ち上げられない程度の自重を有する」構造としたトイレットペーパーが提案されている（特許文献１）。また、ロール状ペーパーの回動を規制して「巻解部が摩擦面又は切断刃に係合して緊張したときに揺動部材して巻解部の回転を解除可能に制御する制動手段を備えた」構造としたロールシート切断装置が提案されている（特許文献２）。
【０００５】
また、このような不具合を解決すべく、カバーとカッターとを別体の構造とした発明考案で以下のような提案がなされている。ホルダーの下方に横棒を設けた巻取り装置を付けたロールペーパーホルダーが提案されている（特許文献３）。更に、ゴム管付きの横棒を配置して、横棒をカッターとして使用する考案が提案されている（特許文献４）。
【特許文献１】特開平１０−３０９２４５
【特許文献２】特開２００２−２６４０７１
【特許文献３】実開昭６０−１７８４９４
【特許文献４】実開平３−４８５９１
【発明の開示】
【発明が解決しようとする課題】
【０００６】
前記特許文献１ではカバーの自重を重くしため、ペーパーを引き出す際に、カバーを上げる際に重く、カバーを上げずにペーパーを引き出すとペーパーがちぎれる問題点があった。とりわけ、ミシン目付きのペーパーの場合に顕著であった。
【０００７】
また、特許文献２では、回転を規制する係止機構に微妙な構造を必要とし、とりわけ乱雑に扱われる公共施設のトイレ等では故障の原因となる問題点があった。また、この位置にカッターがあると、ロールから切れ端が垂れ下がらず、切れ端を探すことが面倒であった。
【０００８】
また、特許文献３、４では、切れ端は垂れ下がるが、ペーパーを切断する際に、カッターにペーパーを押し当てて、壁面方向に押し込まなけばならず、ぺーパーを摘んだ手が壁にぶつかるおそれがあった。更に、ペーパーを使用者の手前斜め上方に引いてカットするためには、切断の際に、いちいちロールの切れ端を摘んでカッターの後側（壁側）を通さなければならず、カットする作業が煩雑となる問題点があった。
【課題を解決するための手段】
【０００９】
然るにこの発明では、滑り止めを施したカッターを所定位置に配置すると共に切断案内手段を設けたので、前記問題点を解決した。
【００１０】
即ちこの発明は、ロール状ペーパーの中空部に挿入する水平支持軸と、該水平支持軸と略平行に配置したカッターとを有し、壁面等の取付面に取付けるホルダーであって、以下の構成としたことを特徴としたロール状ペーパーのホルダーである。
（１）前記カッターは、その幅Ｄ２を、収容したロール状ペーパーの幅Ｄ０よりも長く形成すると共に、表面に滑り止めを施してある。
（２）前記カッターは、「前記水平支持軸を含む水平面より下方に位置する」かつ「収容したロール状ペーパーの垂直接面であって、前記取付面より遠い側の垂直接面より外側に位置する」とする。
（３）前記カッターと収容するロール状ペーパーとの間に、切断案内手段を配置した。
（４）前記カッターは、取付面に基端側を固定した棒状のカッター支持部の先端側に膨出部を介して、棒状に形成する。
（５）前記カッター支持部は、収容するロール状ペーパーの外周との間に間隙を形成した状態で、平面視で、前記ロール状ペーパーの上面側を貫く位置に配置し、前記カッター支持部の先端側を切断案内手段とする。
【００１２】
前記における「ロール状ペーパー」は、主にトイレットぺーパーを指すが、キッチン用ペーパー等も含み、また、材質は紙材に限らず、肉厚の薄いペーパー状の樹脂シートをロール状に巻いて収容した材料を供給するホルダーにも応用できる。
【００１３】
また、前記における「滑り止め」は、引き出したペーパーの中間部をカッターに接触押圧した際に、接触部分で、滑り止めを施した部分とペーパーが摩擦により、引出した側のペーパーがちぎれるようになる程度の摩擦力を発生させる作用をいう。また、カッターは、任意の材料からなる基材に、表面を粗く処理して滑り止め作用を付加し、また滑り止め作用のある材料を塗布し、または基材を滑り止め作用のあるシートで包装し、または、基材自体を滑り止め作用のある材料から構成することもできる。滑り止め作用のある材料は、例えば、各種スポンジ、各種ゴム等から構成する。
【００１４】
また、前記におけるホルダーの水平支持軸は、ロール状ペーパーを１個支持する場合は勿論のこと、スペアー用のロール状ペーパーを含めて２個以上支持できる構成とすることもできる。
【００１５】
また、スペア用のロール状ペーパーを同じ水平支持軸で使用する場合、使用位置で各ロール状ペーパーが各要件を満たす必要がある。
【００１６】
また、前記における「取付面」とは、通常は壁面であるがドア、ロータンク、便器あるいは他の取付用の専用部材とすることもでき、この場合には夫々取り付けた部材の面が取付面である。
【００１７】
また、前記における「垂直面」とは、水平面と直角に交わる面を指す。また、「平面視」とは、ホルダーの上方から見下げた状態、即ち平面図の状態を表す。また「側面視」とは水平支持軸の軸方向に見た状態、即ち側面図の状態を表す。
【発明の効果】
【００１８】
カッターは、収容したロール状ペーパーの幅よりも長く形成すると共に、表面に滑り止めを施して構成したので、ロール状ペーパーを引き出し、切断位置をカッターに当てれば引き出したペーパーを引くだけで、摩擦によりロール状ペーパーは回転せず、片手だけの引出し操作のみで、必要長さのペーパーを容易に得られる効果がある。
【００１９】
また、カッターを「前記水平支持軸を含む水平面より下方に位置する」かつ「収容したロール状ペーパーの垂直接面であって、取付面より遠い側の垂直接面より外側に位置する」とすると共にカッターと収容するロール状ペーパーとの間に、切断案内手段を配置したので、引き出したロール状ペーパーの切断作業を更に容易とすると共に、残余のロール状ペーパーの端は常にカッターより下方に位置した状態で保持される。よって、ロール状ペーパーの端を摘み易い効果がある。
【００２０】
また、「壁面に固定したカッター支持部に、カッターを配置し、切断案内手段を形成し、かつロール状ペーパーの上面側を貫く位置に配置した」場合には、ロール状ペーパーの端が、カッターを越えて、使用者の手前側に出てしまうことが無く、常に、カッターよりロール状ペーパー側に垂れ下がっ状態とすることができる。従って、ロール状ペーパーの端を摘んで、引き出したペーパーをカットする際に、ペーパーを引き出す方向を、常に作業所の手前側の上方に持ち上げる方向に、統一することができ、常に同一動作でこれを行うことができる効果がある。
【００２１】
更に、「カッターの軸からロール状ペーパーの外周面に引いた接線のうち、取付面より遠い側に位置する接線より、下方位置に切断案内手段を位置させた」場合には、ロール状ペーパーからペーパーの端を摘んでペーパーを所定長さ引き出して切断する際に、引き出している途中で摘んだペーパーが、カッターの滑り止め処理をした部分に接触することがない。従って、摘んだペーパーを支障無く、スムースに取り出すことができる効果がある。
【発明を実施するための最良の形態】
【００２２】
ロール状ペーパーのホルダー１５は、ロール状ペーパー１７の中空部１８に挿入する水平支持軸３を有し、壁面１に固定するカッター支持材１１の先端に、水平支持軸３と略平行に配置したカッター１４とを形成する（図１（ａ）（ｂ））。
【００２３】
カッター１４は、その幅Ｄ２を収容したロール状ペーパーの幅Ｄ０よりも長く形成し、かつ、表面に合成ゴムなどを巻いて滑り止めを施す。また、カッター１４は、「水平支持軸３を含む水平面Ｘ１より下方に位置し」かつ「収容したロール状ペーパー１７の垂直接面であって、壁面１より遠い側の垂直接面Ｙ１より外側に位置」している（図１（ｂ））。
【００２４】
また、カッター支持材１１は、カッター１４側（先端側）に、切断案内部１２を形成してある。カッター支持部１１は、収容するロール状ペーパー１７の外周１９との間に間隙を形成した状態で配置されて、平面視で、ロール状ペーパー１７の上面側を貫く位置に配置してある。また、切断案内部１２は、側面視で、カッター１４の軸からロール状ペーパー１７の外周面１９に引いた接線Ｚ１、Ｚ２のうち、外周面１９との接点ｔ２が壁面１より遠い側に位置する接線Ｚ２より、壁面１側に、位置してある（図１（ｂ））。
【実施例１】
【００２５】
図面に基づき、ロール状ペーパーを１つ収容する実施例について説明する。
【００２６】
［１］ロール状ペーパーのホルダー１５の構成
【００２７】
トイレの壁面（取付面）１に突設した２枚の支持板２、２に、着脱自在に水平支持軸３の両端部を取り付ける。水平支持軸３は、所定幅Ｄ０のロール状ペーパー１７の中空部１８に挿入でき、水平支持軸３の周りにロール状ペーパー１７を自由に回動できるようになっている。
【００２８】
所定幅Ｄ１（Ｄ１＜Ｄ０）で棒状部材（例えば鋼材）５、５を壁面１に突設し、収容予定のロール状ペーパー１７の外周面１９に沿って、かつ外周面１９に接触しないように下方に向けて屈曲して平行部６を形成し、更に下方で幅がＤ２となるように、棒状部材５、５を外側に幅Ｄ３だけ押し広げて膨出部８を夫々形成する。押し広げて膨出部８を形成した棒状部材５、５を長さＬ１だけ膨出部８とした後に、折り返して、内側に向けて近付け、水平の直線部１０で両棒状部材５、５を接触結合させる。尚、棒状部材５、５は説明上２本を直線部１０で接合させたが、１本の棒状部材を折り曲げて中間に膨出部、直線部を形成することもできる（図示していない）。
【００２９】
前記において、棒状部材５、５の平行部６、６の間隔Ｄ１は、ロール状ペーパー１７の幅より狭く形成したので（Ｄ１＜Ｄ０）、平行部６、６に、幅Ｄ０以上の隙間が空かないように形成され、平面視でロール状ペーパー１７の上面側を貫く位置に配置して形成されている。
【００３０】
ここで、直線部１０の長さはＤ２（Ｄ２＝Ｄ１＋２×Ｄ３）で形成される。また、直線部１０の長さＤ２は収容するロール状ペーパー１７の幅Ｄ０より大きく形成され（Ｄ２＞Ｄ０）、直線部１０に合成ゴムチューブ１３を嵌装してカッター１４とする。
【００３１】
直線部１０（即ちカッター１４）は、水平支持軸３を含む水平面Ｘ１より下方に位置し、かつ水平支持軸３に収容するロール状ペーパー１７の外周面１９に垂直接面のうち、壁面１から遠い方の垂直接面Ｙ１より外側に位置する。尚、前記における垂直接面Ｙ１より外側とは、「使用する壁面１（即ち、水平支持軸３）から離れる方向」（図１（ｂ）で垂直接面Ｙ１の左側、即ち矢示Ａ方向）を指す。
【００３２】
また、膨出部８の水平部分９と平行部６の下端部分７とで切断案内部（切断案内手段）１２を構成する。側面視で、カッター１４の軸（直線部１０の軸）から、収容予定のロール状ペーパー１７の外周面１９に接線Ｚ１、Ｚ２を引いた場合、接線Ｚ１、Ｚ２は夫々、接点ｔ１、ｔ２で、ロール状ペーパー１７の外周面１９に接する。切断案内部１２は、接線Ｚ１と接線Ｚ２の内、壁面１より遠い側の接点ｔ２を含む接線Ｚ２よりも壁面１側（下方側）に位置する。
【００３３】
以上のようにして、ロール状ペーパーのホルダー１５を構成する（図１（ａ）（ｂ））。
【００３４】
また、前記において、棒状部材５、５を屈曲して形成し、壁面１からカッター１４に至り、かつ切断案内部１２を含む部材をカッター支持材１１とする。カッター支持材１１は壁面１からカッター１４に至る全長で、ロール状ペーパー１７の外周面に対して所定距離が空けられるように配置され、ペーパーを引出して使用する際やロール状ペーパー１７を交換する際に、使用するロール状ペーパー１７の外周面と接触しないようになっている。
【００３５】
［２］ロール状ペーパーのホルダー１５の使用
【００３６】
（１）使用者は、ロール状ペーパー１７の端を摘んで、下方若しくは手前斜め下方に引き、引き出したペーパーを、切断案内部１２で滑らせて案内して更に引き出し、目標とする切断部２０をカッター１４に当てる（図２（ａ）鎖線図示２１）。同時に、摘んだペーパーを使用者の手前側であって、手前斜め上方に引く（図２（ａ）実線図示２１）。この際、ペーパー２１は摩擦により切断部２０がカッター１４の外面に当接して留まった状態であるので、使用するぺーパー２１は、切断部２０で容易に引きちぎれて、切断できる。
【００３７】
（２）また、カッター１４の位置が水平面Ｘ１より下方で、かつ垂直接面Ｙ１より外側に位置し、また切断案内部１２が接線Ｚ２より壁面側に位置しているで、切断した残余のロール側のペーパーの端２０ａは、切断案内部１２に案内されて、常にカッター１４を含む水平面Ｘ２より下方に位置した状態で垂れる（図２（ｂ））。従って、次回使用する際に、端２０ａをつかみ易いので、引き出し易い。
【００３８】
［３］他の実施例
【００３９】
（１）前記実施例において、切断案内部１２をロール状ペーパー１７の両側に形成したが、少なくとも一方に形成すれば良い。例えば、一方の棒状部材５を平行部６、膨出部８を省略して、直線部１０のみとすることもできる（図３（ａ））。
【００４０】
また、一方の棒状部材５ａの膨出部８を省略して、直線部１０に連続されることもできる（図４（ａ））。この場合も棒状部材５、５ａの平行部６、６の間隔Ｄ１は、ロール状ペーパー１７の幅より狭く形成し（Ｄ１＜Ｄ０）、幅Ｄ０以上の隙間が空かないように形成し、カッター支持材１１が、平面視で、ロール状ペーパー１７の上面側を貫くように形成する。
【００４１】
（２）また、前記実施例において、カッター支持材１１は、棒状部材５を屈曲して構成したが、パイプ材から構成することもできる（図示していない）。また、カッター支持材１１は、棒状部材５を屈曲して形成したが、棒状部材５の平行部６を板状として、カッター支持材１１とすることもできる（図４（ｂ））。
【００４３】
（３）また、前記実施例では、一つの水平支持軸３に１つのロール状ペーパー１７を取付けた実施例について説明したが、一つの水平支持軸に３に２つ、または３つのロール状ペーパー１７、１７を支持することもできる（図３（ｂ）（ｃ））。この場合も、カッター１４と使用する各ロール状ペーパー１７、１７との間に、切断案内部（切断案内手段）１２が少なくとも１つ位置する必要がある（図３（ｂ）（ｃ））。また、この場合も棒状部材５、５の平行部６、６の間隔Ｄ１は、ロール状ペーパー１７の幅より狭く形成し（Ｄ１＜Ｄ０）、幅Ｄ０以上の隙間が空かないように形成する。また、この場合、Ｄ１＞Ｄ０とすることもでき（図３（ｂ）（ｃ）鎖線図示６ａ）、要は、カッター支持材１１（棒状部材５、５）が、平面視で、ロール状ペーパー１７の上面側を貫くように形成されれば良い。
【００４４】
（４）また、前記実施例において、カッター支持材１１は壁面１に固定したが、所定位置にカッター１４、切断案内部１２を配置できれば、壁面１に固定せずに、カッター支持材１１を例えば水平支持軸３に固定することもできる（図示していない）。尚、この場合には、ホルダー１５の全体を壁面１に取り付ける手段が別途必要である。
【図面の簡単な説明】
【００４５】
【図１】この発明の実施例で（ａ）は平面図、（ｂ）は縦断面図である。
【図２】（ａ）（ｂ）は、この発明の使用を表す縦断面図である。
【図３】（ａ）〜（ｂ）は、この発明の他の実施例の概略した平面図である。
【図４】（ａ）（ｂ）は、同じくこの発明の他の実施例の概略した平面図である。
【符号の説明】
【００４６】
１    壁面（取付面）
２    支持板
３    水平支持軸
５    棒状部材
６    棒状部材の平行部
７      平行部の下端部分
８    棒状部材の膨出部
９      膨出部の水平部分
１０  棒状部材の水平部
１１  カッター支持材
１２  切断案内部（切断案内手段）
１３  ゴムチューブ
１４  カッター
１５  ホルダー
１７  ロール状ペーパー
１８  ロール状ペーパーの中空部
１９  ロール状ペーパーの外周面
２０  ロール状ペーパーの切断部
２１  ペーパー
【図１】
0004632149.tif 000002
【図２】
0004632149.tif 000003
【図３】
0004632149.tif 000004
【図４】
0004632149.tif 000005